(57)【要約】      （修正有）【課題】荷物の荷重を腰にも安定して負担させるとともに、背中が蒸れないというリュックサックを提供する。【解決手段】リュックサックは、縦方向の伸びた有底筒状の袋本体１０と、縦方向の上側に孔部を有し下側が閉じられている袋状の一対のステム収納部１７ａ，１７ｂと、一対のステム収納部の上側の孔部から挿入される一対のステム７７と、袋本体の背面に取り付けられ、袋本体１０を背負うためのキャリーシステムと、を備える。そして、一対のステム７７は、縦方向と直交する方向から見て、上端から所定距離離れた第１位置と該第１位置からさらに離れた第２位置が折り曲げ位置となり、第１位置から第２位置までの中央領域が曲線状に前面方向に曲がっている。【選択図】図３
0003187885.tif 000002
【実用新案登録請求の範囲】
【請求項１】
前面及びその反対側の背面を有し、縦方向の伸びた有底筒状の袋本体と、
前記袋本体の前記背面の両側に配置され、前記縦方向の上側に孔部を有し下側が閉じられている袋状の一対のステム収納部と、
一対の前記ステム収納部の上側の前記孔部から挿入される一対のステムと、
前記袋本体の前記背面に取り付けられ、前記袋本体を背負うためのキャリーシステムと、
を備え、
一対の前記ステムは、前記縦方向と直交する方向から見て、上端から所定距離離れた第１位置と該第１位置からさらに離れた第２位置が折り曲げ位置となり、前記上端とその反対側の下端が前記前面方向に突き出ており、前記第１位置から前記第２位置までの中央領域が曲線状に前記前面方向に曲がっているリュックサック。
【請求項２】
前記キャリーシステムは、前記袋本体の前記背面の両側及び下側で結合しており、前記キャリーシステムと前記背面との間には、ポケット状の空隙が形成されている請求項１に記載のリュックサック。
【請求項３】
前記キャリーシステムは、使用者の肩部にかかるショルダーストラップ調整部と胴囲を囲むウエストベルト調整部とを有し、
前記ショルダーストラップ調整部は、さらに一対のショルダーストラップと該ショルダーストラップの上側に取り付けられた一対の第１ウェビングとを有し、
前記第１ウェビングの一端が前記ステム収納部の前記孔部の上側に取り付けられている請求項１に記載のリュックサック。
【請求項４】
前記ショルダーストラップ調整部は、前記ショルダーストラップの下側に取り付けられた一対の第２ウェビングを有し、
前記第２ウェビングの一端は前記ウエストベルト調整部に取り付けられ、前記ウエストベルト調整部は、前記袋本体に固定されていない請求項３に記載のリュックサック。
【請求項５】
前記ステム収納部には、前記ステムがステム収納部から出ないように抑えるステム封止片が配置される請求項１から請求項４のいずれか一項に記載のリュックサック。
【請求項６】
前面及びその反対側の背面を有し、縦方向の伸びた有底筒状の袋本体と、
前記袋本体の前記背面に取り付けられ、前記袋本体を背負うためのキャリーシステムと、
を備え、
前記キャリーシステムは、使用者の肩部にかかるショルダーストラップ調整部と胴囲を囲むウエストベルト調整部とを有し、
前記ショルダーストラップ調整部は、さらに一対のショルダーストラップと該ショルダーストラップの下側に取り付けられた一対の第２ウェビングを有し、
前記第２ウェビングの一端は前記ウエストベルト調整部に取り付けられ、前記ウエストベルト調整部は、前記袋本体に固定されていないリュックサック。
【考案の詳細な説明】
【技術分野】
【０００１】
本考案は改良されたリュックサックに関し、より詳細には、リュックサックの揺れを抑え、肩又は腰などに負担がかからないようにしたリュックサックを提供する。
【背景技術】
【０００２】
従来、背負バッグであるリュックサックは、一般に、使用者の肩に掛けられる一対のショルダーストラップを介して使用者の背中に背負われるようになっている。特に、登山やハイキングに好適なリュックサックは、比較的大容量の袋本体を有し、比較的大きな重量の内容物を袋本体に収納した状態で長時間使用者が背負う場合が多い。又、このような荷物を背負った状態で使用者は歩行し、または急勾配を登ったり降りたりすることが多い。このため、リュックサックは、背負った荷物の荷重が均一に使用者の体、特に肩、背中、腰に作用するのが望ましく、且つその状態が使用者の移動及び運動中においても維持されることが望ましい。
【０００３】
そこで、特許文献１に開示されたリュックサックは、使用者の肩に掛けられる一対のショルダーストラップとともに五角形状に隆起した突起により、荷物の荷重を腰にも安定して支持させるようにしている。また特許文献２に開示されたリュックサックでは、ショルダーストラップとともに、使用者の腰にリュックサックの下部を密着させるようなにリュックサックに縫いつけられたウエストベルトを有している。
【先行技術文献】
【特許文献】
【０００４】
【特許文献１】特開２０１２−１５２２７０
【特許文献２】特開２０１２−１２０７８６
【考案の概要】
【考案が解決しようとする課題】
【０００５】
しかし、特許文献１に記載のリュックサックは、五角形状に隆起した突起があるために、使用者の背中部分は、常に五角形状に隆起した突起に当節している。そのため、使用者は汗をかき背中が蒸れやすくなるという問題があった。特許文献２に記載のリュックサックは、使用者の腰回りを十分に保持できる形状でなく、また使用者の腰回りに応じて取り替えることができるベルトではない。自分の腰の形状や腰回りに十分に対応できないという問題があった。
【０００６】
本考案は、このような従来技術に鑑みてなされたもので、その目的とするところは、荷物の荷重を腰にも安定して負担させるとともに、背中が蒸れないというリュックサックを提供する。また、ウエストベルトを交換できるリュックサックを提供する。
【課題を解決するための手段】
【０００７】
第１の観点のリュックサックは、前面及びその反対側の背面を有し、縦方向の伸びた有底筒状の袋本体と、袋本体の背面の両側に配置され、縦方向の上側に孔部を有し下側が閉じられている袋状の一対のステム収納部と、一対のステム収納部の上側の孔部から挿入される一対のステムと、袋本体の背面に取り付けられ、袋本体を背負うためのキャリーシステムと、を備える。そして、一対のステムは、縦方向と直交する方向から見て、上端から所定距離離れた第１位置と該第１位置からさらに離れた第２位置が折り曲げ位置となり、上端とその反対側の下端が前面方向に突き出ており、第１位置から第２位置までの中央領域が曲線状に前面方向に曲がっている。
【０００８】
第２の観点のリュックサックのキャリーシステムは、袋本体の背面の両側及び下側で結合しており、キャリーシステムと背面との間には、ポケット状の空隙が形成されている。
第３の観点のリュックサックのキャリーシステムは、使用者の肩部にかかるショルダーストラップ調整部と胴囲を囲むウエストベルト調整部とを有する。また、ショルダーストラップ調整部は、さらに一対のショルダーストラップと該ショルダーストラップの上側に取り付けられた一対の第１ウェビングとを有する。そして、第１ウェビングの一端がステム収納部の孔部の上側に取り付けられている。
【０００９】
第４の観点のリュックサックのショルダーストラップ調整部は、第３の観点において、ショルダーストラップの下側に取り付けられた一対の第２ウェビングを有し、第２ウェビングの一端はウエストベルト調整部に取り付けられ、ウエストベルト調整部は袋本体に固定されていない。
第５の観点のリュックサックのステム収納部には、ステムがステム収納部から出ないように抑えるステム封止片が配置される。
【００１０】
第６の観点ののリュックサックは、前面及びその反対側の背面を有し、縦方向の伸びた有底筒状の袋本体と、袋本体の前記背面に取り付けられ袋本体を背負うためのキャリーシステムと、を備え、キャリーシステムは、使用者の肩部にかかるショルダーストラップ調整部と胴囲を囲むウエストベルト調整部とを有し、前記ショルダーストラップ調整部は、さらに一対のショルダーストラップと該ショルダーストラップの下側に取り付けられた一対の第２ウェビングを有し、第２ウェビングの一端は前記ウエストベルト調整部に取り付けられ、ウエストベルト調整部は袋本体に固定されていない。
【考案の効果】
【００１１】
本考案のリュックサックは、荷物の荷重を腰にも安定して負担させるとともに、使用者の背中が蒸れることがない。またウエストベストを適宜取り外して交換できる。
【図面の簡単な説明】
【００１２】
【図１】キャリーシステムを有するリュックサックの背面を示した図である。
【図２】キャリーシステムを取り外した状態のリュックサックの背面を示した図である。
【図３】リュックサックの袋本体の背面を示した図である。
【図４】図１から図３のＡ−Ａ断面を示した図である。
【図５】（ａ）はステムの正面図であり、（ｂ）はステムの側面図である。
【図６】リュックサック取り外された状態のウエストストラップを示した図である。
【考案を実施するための形態】
【００１３】
図１は、キャリーシステム２０を有するリュックサック１００の背面を示した図である。図１から図５において、＋Ｚ軸方向を上側、−Ｚ軸方向を下側、＋Ｘ軸方向を右側、−Ｘ軸方向を左側と呼ぶ。また、＋Ｙ軸方向を前面側、−Ｙ軸方向を背面側と呼ぶ。
【００１４】
本実施形態のリュックサック１００は、使用者の背中の形状及び使用者の快適性を重視したステム７７（図５を参照。）を備える。そしてリュックサック１００は、荷物の荷重を腰にも安定して負担させるとともに、背中が蒸れない特徴を備える。
【００１５】
このリュックサック１００を構成する袋本体１０は、全体として縦方向の伸びた有底筒形状に形成される。またキャリーシステム２０は、袋本体１０に縫い付けられ取り付けられている。
【００１６】
図２は、袋本体１０を除いたキャリーシステム２０のみを描いた図である。キャリーシステム２０は、使用者の背中に当接する背面部２１と、使用者の肩部にかかるショルダーストラップ調整部３０と、使用者の胴囲を囲むウエストベルト調整部４０と、を有する。背面部２１は、四角形状の通気性の高い織布又は不織布によって構成される第１層２２と、第１層２２の４辺に一定幅で配置され、強度の高い織布又は不織布によって構成される第２層２３とからなる。第１層２２と第２層２３とは、その厚みが薄く形成されている。
【００１７】
第２層２３は、ショルダーストラップ調整部３０のベース層３２とウエストベルト調整部４０のベース層４２とで覆われている。このように、第２層２３は、ベース層３２及びベース層４２と一部重なっているため、図２に示される第２層２３の４辺のうち左右２辺の一部及び下辺の一部が見えている。
【００１８】
ショルダーストラップ調整部３０のベース層３２は、所定の厚みを有する柔軟性が高く強度の高い織布又は不織布によって構成される。ベース層３２も通気性が高いことが好ましい。ベース層３２は、背面部２１の第２層２３の左右両側面と上側面に取り付けられる広背筋エリア３２Ａと、ベース層３２上側から使用者の肩に添えるように、一対のショルダーストラップ３２Ｂとを有している。ショルダーストラップ３２Ｂには第１アジャスター３３、第１ウェビング（webbing）３４および第２アジャスター３５が取り付けられている。一対の第１ウェビング３４の一端は、袋本体１０の背面１４の左右両側で、且つ、後述するステム７７（図２を参照。）を挿入する上ステム収納部１７ａ（図３を参照）の上側に取り付け縫い付けて取り付けられている。第１ウェビング３４は、第１アジャスター３３を介してその長さを調整することができ、袋本体１０内に入れる荷物の重さ大きさなどを考慮して使用者の肩にかかる負担と背中にかかる負担とを調整する役目を有する。また、第２ウェビング４８の一端は、ウエストベルト調整部４０に縫い付けられて取り付けられている。そして第２ウェビング４８は、アジャスター３５に通されている。第２ウェビング４８は、アジャスター３５を介してその長さを調整することができるため、一対のショルダーストラップ３２Ｂの長さを調整する役割を担い、使用者の体の大きさなどに応じて調整できる。
【００１９】
ウエストベルト調整部４０のベース層４２は、所定の厚みを有する柔軟性が高く強度の高い織布又は不織布によって構成される。ベース層４２も通気性が高いことが好ましい。ベース層４２は、背面部２１の第２層２３の下側面に縫い付けられて取り付けられる。ベース層４２は所定の厚みを有し、その一部に一対の開口４３を有する。そしてウエストストラップ４４が、その開口４３を通して左右に伸びて貫通している。つまり、ウエストストラップ４４は、ベース層４２に縫い付けられておらず、取り外し可能である。ウエストストラップ４４は、第２ウェビング４８がショルダーストラップ３２Ｂの第２アジャスター３５に通されることで、ベース層４２から所定距離以上にずれたりまたは落ちたりしない。
【００２０】
キャリーシステム２０の左右両側には、ショルダーストラップ調整部３０の厚いベース層３２と、ウエストベルト調整部４０の厚いベース層４２とがあり、その中間に背面部２１の薄い第２層２３が配置されている。このため、使用者がリュックサック１００を背負うと、使用者の背中と第２層２３との間に、隙間が形成される。この隙間によって通気性が向上し、汗などによる蒸れが少なくなる。また、ショルダーストラップ調整部３０の厚いベース層３２及びウエストベルト調整部４０の厚いベース層４２は、弾力性の高い織布または不織布を使って厚くしている。このため、使用者がリュックサック１００を背負い、ショルダーストラップ３２Ｂおよびウエストストラップ４４をある程度締め付けると、リュックサック１００が使用者の背中および腰に適合する。
【００２１】
図３は、キャリーシステム２０を取り除いたリュックサック１００の背面、つまり袋本体１０の背面を示した図である。本来、キャリーシステム２０は袋本体１０に縫い付けられて結合しているが、理解を助けるための図３では省略している。
【００２２】
袋本体１０は、有底筒形状の有底筒１１を有し、その有底筒１１の上部に蓋体１２が装着されるようになっている。また袋本体１０は、前面とその反対側の背面１４を有し、その背面１４は略平坦に形成される。袋本体１０及びその上部の蓋体１２は、袋内に入れる物を濡らさないように、前面は防水加工してあることが好ましい。蓋体１２は、水などの侵入を防ぐ防水ファスナ１３で有底筒１１の上部を開閉できる。この袋本体１０は、天然繊維もしくは合成繊維の織布または不織布よって構成され、適当な可撓性ならびに剛性を有する。
【００２３】
背面１４の中央領域１５は、第１層２２と同様な四角形状の通気性の高い織布又は不織布によって構成される。背面１４の中央は通気性を有するそれ以外の周辺領域１６は、強度の高い織布又は不織布によって構成される。背面１４の上下及び左右両側の一定幅である周辺領域１６は、例えば第２層２３と同じ素材であってもよい。背面１４の左右両側には、縦方向に伸びるステム収納部１７（１７ａ，１７ｂ）が形成されている。ステム収納部１７も、第２層２３と同じ素材であってもよい。ステム収納部１７には、後述するステム７７が収納される。上ステム収納部１７ａは、左右両側が縫い付けられており、上下が開口である。下ステム収納部１７ｂは、左右両側及び下側が縫い付けられており、上側が開口である。ステム７７は、上ステム収納部１７ａの上側開口から挿入され、上ステム収納部１７ａの下側開口から付き出る。そして突き出たステム７７の一端は、下ステム収納部１７ｂの上側開口から挿入されて、下ステム収納部１７ｂの底に接する。その状態で、ステム７７の他端が上ステム収納部１７ａの上側開口に位置している。そこで、ステム封止片１８が上ステム収納部１７ａの上側開口を、面ファスナ１９を使って封止する。使用者がリュックサック１００を背負った状態で激しく動かしても、ステム７７が飛び出さないように、ステム封止片１８はステム７７の幅（Ｘ軸方向）よりも１．５倍から２倍程度広くすることが好ましい。
【００２４】
さて、有底筒１１の背面１４にキャリーシステム２０が縫い付けによって、取り付けられている。図３において、キャリーシステム２０が袋本体１０に縫い付けられている領域が二点鎖線ＤＬで示されている。キャリーシステム２０が左右両側及び下側が縫い付けられることにより、背面１４とキャリーシステム２０との間が、ポケット状になり空隙ＰＫ（図４を参照）が形成される。
【００２５】
図４は、図１から図３に示されたＡ−Ａ断面図である。有底筒１１の中央領域１５及び周辺領域１６は織布又は不織布であり、キャリーシステム２０の第１層２２及び第２層２３も織布又は不織布であり、両者とも０．５ｍｍ以下の厚さであるが、図４では厚さを誇張して描いてある。
【００２６】
有底筒１１の背面１４は、キャリーシステム２０が左右両側及び下側が縫い付けられることにより空隙ＰＫが形成されている。この空隙ＰＫには、何も入れなくてもよいが、荷物の荷重を腰に安定して負担させるために、柔らかいパットで板状の背面パッド７９を配置してもよい。本実施形態の背面パッド７９は、登山等でシュラフ等の下に敷くフォールディングマットを兼用するものである。図４では、四つ折りしたフォールディングマット（背面パッド）７９を示している。背面パッド７９は、軽量と保温とを考慮して発泡ポリエチレン製が好ましく、その表面にはポリエステルに能動的な吸放湿機能と自己乾燥能力を持たせたエクスライブ（登録商標）加工されているシートを熱圧着していることが好ましい。またその裏面には滑り止めのためエンボス加工されていることが好ましい。
【００２７】
有底筒１１の周辺領域１６には、下ステム収納部１７ｂが縫い付けられている。その下ステム収納部１７ｂにステム７７が入っている。
【００２８】
キャリーシステム２０の第１層２２には、その左右両側に、第２層が縫い付けられている。中央領域１５及び第１層２２は、ともに通気性が高い素材であるため、使用者が発汗した場合でも、背中が蒸れにくい。特に、背面パッド７９が空隙ＰＫに入って居ない場合には、使用者の背中から有底筒１１内部まで通気しているため、使用者の背中が蒸れることがない。
【００２９】
図５は、ステム収納部１７に挿入されたステム７７の正面図（図５（ａ））と、ステム７７の側面図（図５（ｂ））である。一対のステム７７は、同じ形状であるので代表して一方のみを示している。
【００３０】
ステム７７は、樹脂からなる軽量の板状材または軟質の金属材から構成されている。樹脂としては、熱可塑性樹脂が好ましく、特にポリエチレンやポリプロピレンなどの材料が好ましい。また金属材の材料としては、例えばアルミニウム製のロッドもしくはパイプが挙げられる。
【００３１】
ステム７７は、４０ｃｍから７０ｃｍの長さであり、成人の肩から臀部までの距離に相当する。上端７７５から約１０〜１５％の位置に第１位置７７１を有し、上端７７５から約７０〜７５％の位置に第２位置７７３を有している。第１位置７７１は使用者の肩甲骨の下に位置し、第２位置７７３は使用者の腰のくびれに位置する。上端７７５から第１位置７７１までの領域が使用者の肩から肩甲骨の領域に対応し、上端７７５は第１位置７７１から前面方向（＋Ｙ軸方向）に突き出ている。また、第１位置７７１から第２位置７７３までの中央領域７７９が使用者の広背筋の領域に対応し、使用者の広背筋に倣うように前面方向（＋Ｙ軸方向）に曲線状に曲がっている。また、第２位置７７３から下端７７７までの領域が使用者の腰から臀部の領域に対応し、下端７７７は第２位置７７３から前面方向（＋Ｙ軸方向）に突き出ている。ステム７７は、全体として使用者の背中の面に倣っているため、使用者がリュックサック１００を背負った際に、荷物の荷重を背中及び腰全体に負担させることができる。
【００３２】
図６は、ウエストストラップ４４の正面図である。上述したように、ウエストストラップ４４は、リュックサック１００から取り外し可能である。このため、使用者の胴回りに応じて、Ｌ(Large)サイズ、Ｍ（Medium）サイズ及びＳ（small）サイズが用意される。ウエストストラップ４４は、第２ウェビング４８によってショルダーストラップ３２Ｂの第２アジャスター３５に通されることで、ベース層４２（図２）からは外れなくなっている。
【００３３】
ウエストストラップ４４は、使用者の腰骨（又は腸骨）に合うように、腰骨（又は腸骨）に相当する位置４６（一点鎖線で囲まれた位置）で幅が狭く形成されている。ウエストストラップ４４の先端付近には、使用者の胴囲に合わせて調整できるように、ウエストストラップ４４の伸びる方向に伸びた面ファスナ（pile/hook contact closure）４５が取り付けられている。使用者は、面ファスナ４５を使って胴囲などに応じて調整できる。使用者の胴回りに応じて、Ｌサイズ、Ｍサイズ及びＳサイズが選択できるとともに、面ファスナ４５で胴囲を調整できるため、使用者に応じて適切なウエストストラップ４４の調整が可能となっている。ウエストストラップ４４は、通気性の高い織布又は不織布によって構成される。使用者の腰回りの蒸れを防止するためである。
【００３４】
以上説明してきたように、キャリーシステム２０のショルダーストラップ調整部３０、ウエストベルト調整部４０及びステム７７により、袋本体１０内の荷物の重量は、均等にショルダーストラップ調整部３０に伝達され、またウエストベルト調整部４０に伝達され、ステム７７に伝達される。つまり、使用者がまっすぐに起立した状態でも、袋本体１０内の荷物の重量は、使用者の肩、背中全体及び腰に分散される。使用者が歩行時に背中を丸く屈曲した状態でも、ステム７７により肩、背中全体及び腰に負担が分散される。また、ショルダーストラップ調整部３０及びウエストベルト調整部４０により、袋本体１０が使用者の背中から離間したり、横ずれしたりするようなこともなくなる。さらに、袋本体１０及びキャリーシステム２０は、使用者の背中に対向する領域に、通気性のよい素材を有しているため、使用者の背中が蒸れたりしない。
【００３５】
上記実施形態では、特に登山用のリュックサックを前提に説明してきたが、本考案は登山用のリュックサックに限られず、キャンプ用、または子供用のリュックサックにも適用できる。また、キャリーシステム２０は袋本体１０に縫い付けられていたが、フックボタンなどで取り外し可能にしてもよい。そうすれば、使用者の体形に適した、１つのキャリーシステム２０で、袋本体１０の容量を、例えば２０リットル、４０リットルまたは６０リットルを用意しておき、登山またはキャンプの日程に応じて適宜容量を変更することができる。
【符号の説明】
【００３６】
１０  …  袋本体
１１  …  有底筒、１２  …  蓋体、１３  …  防水ファスナ、１４  …  背面
１７  …  ステム収納部
１８  …  ステム封止片
１９  …  面ファスナ
２０  …  キャリーシステム
２１  …  背面部、２２  …  第１層、２３  …  第２層
３０  …  ショルダーストラップ調整部
３２  …  ベース層
３２Ａ  …  広背筋エリア、３２Ｂ  …  ショルダーストラップ
３３  …  第１アジャスター
３４  …  第１ウェビング、３５  …  第２アジャスター
４０  …  ウエストベルト調整部、４２  …  ベース層、４３  …  開口
４４  …  ウエストストラップ
４５  …  面ファスナ
４８  …  第２ウェビング
７７  …  ステム
７９  …  背面パッド
１００  …  リュックサック
【図１】
0003187885.tif 000003
【図２】
0003187885.tif 000004
【図３】
0003187885.tif 000005
【図４】
0003187885.tif 000006
【図５】
0003187885.tif 000007
【図６】
0003187885.tif 000008